(57)【要約】【課題】本発明は、床から出る廃液に挿入した電極間に電流を流すことによる電気分解によって脱色・浄化することを可能とする茸菌床から出る廃液の電気分解式廃液脱色浄化処理装置および茸菌床から出る廃液を電気分解で脱色・浄化する方法を提供することを目的とするものである。【解決手段】本発明は、茸の栽培過程より生じる茸菌床から出る廃液を電気分解により処理される電解槽２と、前記電気分解により処理された処理液を濾過して貯留される処理水貯留槽３と、前記電解槽２内に注入された廃液を加熱する加熱部１２を備える。【選択図】図１
2008036598.tif 000002
【特許請求の範囲】
【請求項１】
茸の栽培過程より生じる茸菌床から出る廃液を電気分解により処理される電解槽と、
前記電気分解により処理された処理液を濾過するフィルター槽と、
前記電解槽内に注入された廃液を加熱する加熱部を備える
ことを特徴とする茸菌床から出る廃液の電気分解式廃液脱色浄化処理装置。
【請求項２】
前記加熱部により、廃液を５０℃〜８０℃の範囲内で加熱する
ことを特徴とする請求項１記載の茸菌床から出る廃液の電気分解式廃液脱色浄化処理装置。
【請求項３】
茸の栽培過程より生じる茸菌床から出る廃液を、加熱し、電解槽において電気分解処理する工程と、
前記電気分解により処理された処理液をフィルター槽に供給して該処理液に浮遊・沈降する凝固物質を濾過処理する工程を備える
ことを特徴とする茸菌床から出る廃液を電気分解で脱色・浄化する方法
【請求項４】
前記廃液を５０℃〜８０℃の範囲内で加熱する
ことを特徴とする請求項３記載の茸菌床から出る廃液を電気分解で脱色・浄化する方法
【発明の詳細な説明】
【技術分野】
【０００１】
本発明は、茸菌床から出る廃液の電気分解式廃液脱色浄化処理装置および茸菌床から出る廃液を電気分解で脱色・浄化する方法に関する。詳しくは椎茸などの茸栽培において菌床から出る廃液、または廃菌床に含まれる廃液の電気分解式廃液脱色浄化処理装置および茸菌床から出る廃液を電気分解で脱色・浄化する方法に係るものである。
【背景技術】
【０００２】
例えば、椎茸の人口栽培ではオガコ（針葉樹、広葉樹）やコーンコブ（トウモロコシの芯）、豆柄などから人口培地（菌床）に水分を加えて椎茸菌を接種して袋詰めにして培養を行うものである。
【０００３】
この袋詰めによる栽培では、１回の収穫ごとに袋詰めによる菌床を廃棄処分するが、袋内には菌床から出る廃液が溜まる。この廃液は濃い黒色と強い酸性をもち、そのままの状態で河川や下水に流すことは環境保全のために法律的に規制されることとなり、脱色・浄化して放流することが義務付けられている。
【０００４】
かかる、廃液の脱色・浄化は、従来から行われている廃液に対して凝集剤などの化学薬品を添加し、廃液中の汚濁成分を沈降させ、更に濾過槽によって微細な汚濁物や脱色を行う処理方法が行われている（特許文献１参照。）。
【０００５】
【特許文献１】特開２００２−２１７８１８号公報
【発明の開示】
【発明が解決しようとする課題】
【０００６】
しかしながら凝集剤などの化学薬品を使用する場合には環境上二次汚染を引き起こす恐れがある。さらに、濾過槽を使用する場合では、一定期間ごとの濾過材の洗浄や取り替えなどによるメンテナンスと装置自体の費用がかかるために小規模の農家では採算が取れない問題がある。
【０００７】
また、菌床から出る廃液中には通常、ＢＯＤが１００〜２００ｐｐｍ、ＣＯＤが１００〜２００ｐｐｍ含まれるとともに、通常、褐色〜黒色に着色している。濾過槽による浄化では、ある程度の不純物は除去することが可能であるが、着色物質は非常に微細であることから濾過材を通しても脱色が思うように行えない問題がある。
【０００８】
本発明は、以上の点に鑑みて創案されたものであって、菌床から出る廃液に挿入した電極間に電流を流すことによる電気分解によって脱色・浄化することを可能とする茸菌床から出る廃液の電気分解式廃液脱色浄化処理装置および茸菌床から出る廃液を電気分解で脱色・浄化する方法を提供することを目的とするものである。
【課題を解決するための手段】
【０００９】
上記の目的を達成するために、本発明に係る茸菌床から出る廃液の電気分解式廃液脱色浄化処理装置は、茸の栽培過程より生じる茸菌床から出る廃液を電気分解により処理される電解槽と、前記電解槽内に注入された廃液を加熱する加熱部を備える。
【００１０】
ここで、加熱部によって５０℃〜８０℃の範囲内で加熱された茸の栽培過程より生じる茸菌床から出る廃液を電気分解によって廃液に含まれる高いＢＯＤおよびＣＯＤ値をもたらす汚濁物質および有色の原因となる物質が凝固されて浮遊・沈降することにより脱色および浄化が行われ。このようして処理された処理液は、フィルター槽を通して濾過され、その一部は廃液の希釈水として使用し、定量以外の処理液は河川等に放流する。
【００１１】
また、上記の目的を達成するために、本発明に係る茸菌床から出る廃液を電気分解で脱色・浄化する方法は、茸の栽培過程より生じる茸菌床から出る廃液を、加熱し、電解槽において電気分解処理する工程と、前記電気分解により処理された処理液をフィルター槽に供給して該処理液に浮遊・沈降する凝固物質を濾過処理する工程を備える。
【００１２】
ここで、茸の栽培過程より生じる茸菌床から出る廃液を５０℃〜８０℃の範囲内で加熱して電解槽によって電気分解処理をすることにより、廃液に含まれる高いＢＯＤおよびＣＯＤ値をもたらす汚濁物質および有色の原因となる物質が凝固されて浮遊・沈降して分離することにより脱色されて透明度の高い処理液となる。この凝固された汚濁物質と処理液とを濾過することで、さらに脱色された処理液となり河川等への放流が可能となる。
【００１３】
なお、前記廃液は７０度前後まで加熱するのが電気分解処理との相乗効果によって廃液に含まれる汚濁物質の凝固が促進され、より透明度の高い脱色・浄化が可能となる。また、５０度未満の場合では、電気分解処理との相乗効果を得ることができず、８０度を超えると廃液から刺激臭を発することになり２次公害の恐れがある。
【発明の効果】
【００１４】
本発明によれば、凝集剤のような化学薬品を使用する必要がなく、かつ処理により有害な物質を生じることなく、ＢＯＤおよびＣＯＤと有色成分を効率よく除去することができる。
【００１５】
また、化学的方法や沈殿槽や濾過槽による物理的方法に比べて脱色効果が優れているために、河川等に放流しても環境を損なうことがなく、化学薬品による２次公害の恐れもない、安全かつ低コストの処理が可能となる。
【発明を実施するための最良の形態】
【００１６】
以下、本発明の実施の形態を図面を参酌しながら説明し、本発明の理解に供する。
図１に、本発明を適用した電気分解式廃液脱色浄化処理装置の一例を示す概略構成図である。
【００１７】
ここで示す電気分解式廃液脱色浄化処理装置１は、廃液を電気分解によって水に含まれる不純物を分離させる電解槽２と、該電解槽２によって浄化・脱色された処理水を貯留する処理水貯留槽３と、不純物を濾過するフィルター槽４、圧送ポンプ５、交流を直流に変換する直流変換器６とから構成される。
【００１８】
電解槽２の開口部には、廃液を注入する廃液圧送管７が設けられる、該電解槽２の底面には処理水排出管８が接続されている。そして前記電解槽２の内部には。一対の電極を形成する陽極板９と陰極板１０が設けられている。この陽極板９と陰極板１０の上端には電極端子１１が設けられ、前記直流変換器６により直流に変換された適切な電流・電圧が該電極端子１１を通じて陽極板９と陰極板１０に供給されることにより電気分解が行われる。
【００１９】
前記陽極板９は、鉄やステンレス、アルミニウム等でも構わないが、酸化触媒を繰り返し反応させるので、腐食が激しく交換の頻度が高くなるので、チタン金属の表面にカーボンを焼結させたものが望ましい。また、陰極板１０は金属化合物を使用する。
【００２０】
また、前記電解槽２内には複数の加熱部１２が配置される。この加熱部１２は、電流を通すことにより発熱性を有する金属板、例えばニクロム線などの電気抵抗の大きい金属素材より形成し、廃液の温度を５０〜８０℃までの加熱できる機構とするものである。
【００２１】
そこで前記電解槽２の底面に接続される処理水排出管８はフィルター槽４を通じて圧送ポンプ５によって処理水貯留槽３内へ配管される。したがって、電解槽２内で電気分解された廃液は、該廃液に含まれる汚濁物が凝集されて沈降、あるいは浮遊することとなり、このような状態に処理水をフィルター槽４に通すことにより、分離された焼却や固形物が前記フィルター槽４内にて除去されて透明度の高い浄化水のみが前記処理水貯留槽３内へ圧送される。
【００２２】
そして前記処理水貯留槽３内に貯留される処理液の一部は、前記電解槽２との間に配管される希釈用配管１３によって電解槽２内に投入される廃液の希釈水として用いられ、定量以上の処理液は適宜排水される構成とするものである。
【００２３】
次に、本発明に係る茸菌床から出る廃液を電気分解で脱色・浄化する方法を前述の電気分解式廃液脱色浄化処理装置を用いて説明する。
【００２４】
まず、茸が収穫された後のビニール袋内には菌床に含まれる廃液と、ビニール袋底部に溜まった廃液が残されている。そこでビニール袋内より菌床に含まれた廃液を充分に落とした状態で、菌床のみを取り出すものであり、この取り出された菌床は、集められて廃棄されるか、焼却処分等される。
【００２５】
ここで、ビニール袋内に溜まった廃液をタンク等の容器内に回収する。そして回収された廃液は、前記図１における電気分解式廃液脱色浄化処理装置１の電解槽２内にポンプ等によって注入する。この場合に廃液は、濃い黒色と強い酸性を有するために水で希釈することにより濃度の調整を行う。
【００２６】
次に、電解槽２内に配置された複数の加熱板１２によって廃液の温度を６５℃〜７５℃範囲内での加温をした状態で、前記電解槽２の一対の電極を形成する陽極板９と陰極板１０に一定の電圧を印加して前記陽極板９と陰極板１０との間に電流を流すことにより廃液の電気分解を施して電解反応を行わせる。
【００２７】
前記電解槽２内の廃液は、加熱されることにより電解反応が促されて廃液に含有される物質が凝固して、浮遊・沈降することで廃液に含有される物質が分離することにより透明度の高い処理水となる。
【００２８】
この処理水は若干、茶系の色が付いた状態であるが、酸性度の高い物質が分離されることによりＰＨ値が６〜７の中性値に改善される。
【００２９】
次に、処理水と浮遊・沈降する固形物質はともにポンプによって吸引されてフィルター槽４に通されることにより固形物が除去され、かつ残存する色素が吸着されることにより透明度の高い処理水として処理水貯留槽３内に貯留される。
【００３０】
この処理水に貯められる処理水の一部は、希釈用配管１３によって電解槽２内に注入される廃液の希釈水として使用され、定量以上の処理液は、河川や下水道に適宜排水される構成とするものである。
なお、排水する前にＰＨ値を測定し、適正基準値でない場合には濾過装置や化学薬品によりＰＨ値が６〜７の中性値となるようにＰＨ調整を行うものとする。
【００３１】
また、本実施例では椎茸栽培における廃液の処理について詳述してきたが、必ずしも椎茸栽培における廃液の処理である必要性はなく、現状で行われている舞茸、しめじ、なめたけなどの茸栽培や将来に行われるであろう茸類の栽培における廃液の処理も含まれるものである。
【００３２】
このようにして電解槽２内の廃液を５０℃〜８０℃の範囲内で加温して電気分解処理を行うことにより、廃液に含まれる汚濁物資が凝固して浮遊・沈降することにより透明度の高い処理液となる。
【００３３】
また、酸性値の高い汚濁物質が凝固されることにより分離された処理水を弱酸性に改善することができ、さらに色素を有する微小な汚濁物資が凝固分離されることで、透明度の高い脱色が可能となる。
【図面の簡単な説明】
【００３４】
【図１】本発明を適用した電気分解式廃液脱色浄化処理装置の一例を示す概略構成図である。
【符号の説明】
【００３５】
１      電気分解式廃液脱色浄化処理装置
２      電解槽
３      処理水貯留槽
４      フィルター槽
５      圧送ポンプ
６      直流変換器
７      廃液圧送管
８      処理水排出管
９      陽極板
１０    陰極板
１１    電極端子
１２    加熱部
１３    希釈用配管
【図１】
2008036598.tif 000003